(57)【要約】      （修正有）【課題】意匠性に優れ、屋外での使用が可能で、且つ頭部の彎曲にもフィットし、ヘアースタイルを乱すことのない頭部冷却具を提供する。【解決手段】シート上にモノフィラメント状物からなる多数の突起状物２ａを林立状態に配設した基体２と、該基体に配した、水不溶性吸水性ポリマー、水溶性ポリマー、水および親水性アルコールを含有するゲル状物が包装部材に充填された保冷材３とからなり、前記基体を介して頭髪部に直接保持させるようにした頭部冷却具１であり、−３０℃〜−５℃の温度でもやわらかく、冷凍した保冷材を使用しても違和感がなく、効率的に頭部を冷却できる。【選択図】図１
2010131096.tif 000002
【特許請求の範囲】
【請求項１】
シート上にモノフィラメント状物からなる多数の突起状物を林立状態に配設した基体と、該基体に配した下記保冷材とからなり、前記基体を介して頭髪部に直接保持させるようにしたことを特徴とする頭部冷却具。
保冷材：水不溶性吸水性ポリマー、水溶性ポリマー、水および親水性アルコールを含有するゲル状物が包装部材に充填された保冷材
【請求項２】
前記保冷材が、水不溶性で非吸水性のポリマー被膜で表面被覆された水不溶性ポリマーの吸水ゲル粒子が、水溶性ポリマー、水および親水性アルコールを含有する水性ゲル中に懸濁したものであることを特徴とする請求項１記載の頭部冷却具。
【請求項３】
前記基体を袋状体に構成し保冷材を取り出し可能に設けてなるか、または基体と保冷材が溶着、接着もしくは縫製によって一体化されてなることを特徴とする請求項１または２記載の頭部冷却具。
【請求項４】
突起状物を部分的に欠落させるようにしたことを特徴とする請求項１〜３のいずれか１項に記載の頭部冷却具。
【請求項５】
表面に装飾を施したことを特徴とする請求項１〜４のいずれか１項に記載の頭部冷却具。
【請求項６】
四角形以外の装飾的形状に形成したことを特徴とする請求項１〜５のいずれか１項に記載の頭部冷却具。
【発明の詳細な説明】
【技術分野】
【０００１】
本発明は、頭部冷却具に関し、特に、頭部への取り付け、取り外しが容易である頭部冷却具に関する。
【背景技術】
【０００２】
従来、頭部冷却具として、発熱した場合などに頭部の熱を冷ますための貼着型の熱冷まし用のシートが汎用されている。
この貼着型の熱冷まし用のシートは、基本的には、前頭部の皮膚に貼着して使用するものであり、表面から順に支持体、膏剤、剥離ライナーを積層してなる積層体で構成されている（たとえば、特許文献１）。
膏剤は、基剤にハッカ油やメントールなどの清涼剤や冷却剤が混入されている。そして、この貼着型の熱冷まし用のシートは、簡便に発熱を抑えたり、夏場において頭部に冷感を得るために使用することができ利便性が高いものである。
【特許文献１】特開平９−１８７４７４号広報
【発明の開示】
【発明が解決しようとする課題】
【０００３】
ところで、上記従来の頭部冷却具としての熱冷まし用のシートは、前頭部に貼り付けて使用するもので、室内で使用されるところが前提とされており、屋外において日射病対策などを目的として使用するには意匠性などの点において問題があった。
本発明は、上記従来の頭部冷却具の有する問題点に鑑み、意匠性に優れ、屋外での使用が可能で、且つ頭部の彎曲にもフィットし、ヘアースタイルを乱すことのない頭部冷却具を提供することを目的とする。
【課題を解決するための手段】
【０００４】
本発明らは鋭意検討した結果、シート上にモノフィラメント状物からなる多数の突起状物を林立状態に配設した意匠性のある基体に特定の保冷材を配せば、上記課題が達成できることを見出し、本発明に到達した。
【０００５】
すなわち請求項１の発明は、シート上にモノフィラメント状物からなる多数の突起状物を林立状態に配設した基体と、該基体に配した下記保冷材とからなり、前記基体を介して頭髪部に直接保持させるようにしたことを特徴とする頭部冷却具である。
保冷材：水不溶性吸水性ポリマー、水溶性ポリマー、水および親水性アルコールを含有するゲル状物が包装部材に充填された保冷材
【０００６】
請求項１の発明によれば、頭部冷却はシート上にモノフィラメント状物からなる多数の突起状物を林立状態に配設した基体と、該基体に配した保冷材とからなり、前記基体を介して頭髪部に直接保持させるようにしたから、モノフィラメント状物からなる多数の突起状物が毛髪に絡み付いて、基体を介して簡単に保冷材を頭部に保持させることができる。また、この頭部冷却具は、モノフィラメント状物からなる多数の突起状物（たとえば、面ファスナーの雄部）が毛髪に絡んで保持されるだけであり、強く固定されることがないからヘアースタイルが乱れることがない。
また、保冷材が水不溶性吸水性ポリマー、水溶性ポリマー、水および親水性アルコールを含有するゲル状物が包装部材に充填されているので、−３０℃〜−５℃の温度でもやわらかく、冷凍した保冷材を使用しても頭部の彎曲にフィットして配置することができるので使用の違和感がない。また頭部にフィットするので頭部と基体の間に空間をなくすことができ効率的に頭部を冷却できる。
【０００７】
請求項２の発明は、前記保冷材が、水不溶性で非吸水性のポリマー被膜で表面被覆された水不溶性ポリマーの吸水ゲル粒子が、水溶性ポリマー、水および親水性アルコール類を含有する水性ゲル中に懸濁したものであることを特徴とする頭部冷却具である。
【０００８】
請求項２の発明によれば、保冷材中のゲル状物が水不溶性吸水性ポリマーが水不溶性で非吸水性のポリマー被膜で表面被覆された吸水ゲル粒子が、水性ゲル中に懸濁したものであるので、−３０℃〜−５℃の温度でもさらにやわらかく、且つ低温での保持時間がさらに長くなり、頭部冷却具の１回の使用時間がさらに長くなる。
【０００９】
請求項３の発明は、前記基体を袋状体に構成し保冷材を取り出し可能に設けてなるか、または基体と保冷材が溶着、接着もしくは縫製によって一体化されてなることを特徴とする請求項１または２記載の頭部冷却具である。
【００１０】
請求項３の発明によれば、基体を袋状に構成し、保冷材を取り出し可能に設けるときは、放熱効果の下がった保冷材を予備の保冷材と簡単に入れ替えることができる。また、基体と保冷材が溶着、接着もしくは縫製によって一体化されてなるときは、頭部冷却具そのものを冷凍したものを毛髪部に取り付けるので、基体自体も低温となっており冷却効果が促進されると共に簡単に取り付けることができる。
【００１１】
請求項４の発明は、突起状物を部分的に欠落させるようにしたことを特徴とする請求項１〜３のいずれか１項に記載の頭部冷却具である。
【００１２】
請求項４の発明によれば、突起状物を部分的に欠落させるようにするときは、突起状物によって生じる保冷材と頭部との距離を短くし、頭部からの放熱効果および保冷材から伝わる冷感を向上させることができる。
【００１３】
請求項５の発明は、表面に装飾を施したことを特徴とする請求項１〜４のいずれか１項に記載の頭部冷却具である。
【００１４】
請求項５の発明によれば、表面に装飾を施すことによって、意匠性に優れ、屋外において頭部につけるファッションとして使用することもできる。さらに、装飾を施すことによって、ノベルティ商品、ブランド商品として商品価値を高めることができる。
【００１５】
請求項６の発明は、四角形以外の装飾的形状に形成したことを特徴とする請求項１〜５のいずれか１項に記載の頭部冷却具である。
【００１６】
請求項６の発明によれば、頭部冷却具の形状を、四角形以外の装飾的形状に形成するときは、キャラクター商品としての展開を行うことができる。さらに、装飾的形状に合わせて表面に装飾を施すことによって、意匠性に優れたものとすることができる。
【発明の効果】
【００１７】
本発明の頭部冷却具は、以下の効果を奏する。
（１）モノフィラメント状物からなる多数の突起状物が毛髪に絡み付いて、基体を介して簡単に保冷材を頭部に保持させることができる。
（２）毛髪に強く固定されることがないからヘアースタイルが乱れることがない。
（３）保冷材が水不溶性吸水性ポリマー、水溶性ポリマー、水および親水性アルコール類を含有するゲル状物が包装部材に充填されているものであるので、−３０℃〜−５℃の温度でもやわらかく、冷凍した保冷材を使用しても違和感がなく、効率的に頭部を冷却できる。
（４）保冷材の中のゲル状物に、水不溶性で非吸水性のポリマー被膜で表面被覆された水不溶性ポリマーの吸水ゲル粒子が入ったものを用いると、低温での保持時間がさらに長くなり、本発明の頭部冷却具の１回の使用時間が長くなる。
【００１８】
（４）基体を袋状に構成し、保冷材を取り出し可能に設けるときは、放熱効果の下がった冷却材と予備の冷却材と簡単に入れ替えることができ、基体と保冷材が溶着、接着もしくは縫製によって一体化されてなるときは、頭部冷却具そのものを冷凍したものを毛髪部に取り付けるので、基体自体も低温となっており冷却効果が促進されると共に簡単に取り付けることができる。
（５）突起状物を部分的に欠落させるようにするときは、頭部からの放熱効果および保冷材から伝わる冷感を向上させることができる。
（６）表面に装飾を施すことによって、意匠性に優れ、屋外において頭部につけるファッションとして使用することもできる。
（７）頭部冷却具の形状を、四角形以外の装飾的形状に形成するときは、キャラクター商品としての展開を行うことができる。
【発明を実施するための最良の形態】
【００１９】
以下、本発明の実施の形態につき、図を用いて説明する。なお、本発明は、以下の実施の形態に限定されるものではない。本発明と同一および均等の範囲内において、以下の実施の形態に対して種々の変更を加えることが可能である。
【００２０】
（実施例１）
図１〜図２に、本発明の頭部冷却具の第１の実施態様を示す。
【００２１】
この頭部冷却具１は、合成繊維（モノフィラメント）などから形成したシート上にモノフィラメント状物からなる多数の突起状物２ａを林立状態に配設した基体２と、該基体２に配した保冷材３とからなり、前記基体２を介して頭髪部に直接保持させるようにしたものである。
【００２２】
突起状物２ａは、毛髪に絡み易い形状であれば特に限定されるものではないが、本実施例においては、先端をフック状にした、面ファスナの雄部を使用する。また、モノフィラメントは、面ファスナの雄部と使用される形状、たとえば、キノコ状、ループ状の上端を切り開いた形状など、種々の形状とすることができる。
【００２３】
本発明で使用する保冷材３について説明する。
本発明に使用する保冷材は、水不溶性吸水性ポリマー、水溶性ポリマー、水および親水性アルコールを含有するゲル状物が包装部材に充填されているものである。
水不溶性吸水性ポリマーとしては、たとえば寒天、ゼラチンなどの天然系の水不溶性吸水性ポリマーや、合成系の吸水性樹脂があげられる。合成系の吸水性樹脂としては、たとえば、デンプンまたはセルロース（ａ）とカルボキシル基および／またはスルホン酸基を含有する水溶性単量体および／または加水分解により水溶性となる単量体（ｂ）と、架橋剤（ｃ）とを必須成分として重合させ、必要により加水分解を行うことにより得られる吸水性樹脂が挙げられる。上記に例示した吸水性樹脂の製造に用いられる（ａ）、（ｂ）および（ｃ）の詳細、（ａ）、（ｂ）および（ｃ）の割合、製造法および吸水性樹脂の具体例は特開昭５２−２５８８６号、特公昭５３−４６１９９号、特公昭５３−４６２００号および特公昭５５−２１０４１号公報に記載されている。
【００２４】
上記に例示した以外の吸水性樹脂としては、たとえば、（ａ）と（ｂ）とを重合させたもの（デンプン−アクリロニトリルグラフト重合体の加水分解物、セルロース−アクリロニトリルグラフト重合物の加水分解物など）、（ａ）の架橋物（カルボキシメチルセルロースの架橋物など）、（ｂ）と（ｃ）との共重合体（架橋ポリアクリルアミドの部分加水分解物、架橋されたアクリル酸−アクリルアミド共重合体、架橋されたスルホン化ポリスチレン、ビニルエステル−不飽和カルボン酸共重合体ケン化物、架橋されたポリアクリル酸塩、架橋されたアクリル酸−アクリル酸エステル共重合体、架橋されたイソブチレン−無水マレイン酸共重合体、および架橋されたカルボン酸変性ポリビニルアルコール）並びに自己架橋を有する（ｂ）の重合物（自己架橋型ポリアクリル酸塩など）が挙げられる。また以上例示した吸水性樹脂は２種以上併用してもよい。
【００２５】
上記吸水性樹脂のうち、好ましいものは、架橋ポリアクリルアミドの部分加水分解物、架橋されたアクリル酸−アクリルエステル共重合体、架橋されたイソブチレン−無水マレイン酸共重合体および架橋されたカルボン酸変性ポリビニルアルコールである。
上記吸水性樹脂は純水に対する吸水性能が少なくとも５０ｍｌ／ｇ、特に１００〜１０００ｍｌ／ｇのものが適している。吸水性能の試験法は上記の吸水性樹脂の製造法が記載された文献に記載された方法が適用できる。
保冷材中の水と水不溶性吸水性ポリマーとの重量比は、好ましくは１００：０．１〜１０であり、より好ましくは１００：０．５〜８である。水不溶性吸水性ポリマーが０．１以上であると保冷熱量が低下せず、１０以下であると冷凍時の柔軟性が良好である。
【００２６】
水溶性ポリマーとしては、たとえばカルボキシメチルセルロース、メチルセルロース、ポリビニルアルコール、アルギン酸ソーダ、デンプン、プルランおよびアクリルアミド系共重合体などがあげられる。アクリルアミド系共重合体は非イオン性、アニオン性、カチオン性、何れを用いても良く、たとえば非イオン性としてはポリアクリルアミド、ポリメタクリルアミドなどがあげられる。アニオン性としては、ポリアクリルアミドもしくはポリメタクリルアミドの部分加水分解物、アクリル酸もしくはメタクリル酸とアクリルアミドまたはメタクリルアミドとの共重合体およびその塩類、アクリル酸もしくはメタクリル酸とアクリルアミドまたはメタクリルアミドと２−アクリルアミド−２メチルプロパンスルホン酸、ビニルスルホン酸またはビニルメチルスルホン酸との３元共重合体およびその塩類などがあげられる。カチオン性としては、アクリルアミドとアクリロイルまたはメタクリロイルオキシエチルトリメチルアンモニウムクロライドの共重合物、アクリルアミドとトリメチルアンモニウムクロライドの共重合物等があげられる。
これらの水溶性ポリマーうち、好ましいものは非イオン性およびアニオン性のアクリルアミド系共重合体であり、特に好ましいものはアニオン性のアクリルアミド系共重合体である。また以上例示した水溶性ポリマーは２種以上併用してもよい。
【００２７】
水溶性ポリマーは、３０℃、１規定硝酸ソーダ水溶液中で測定した固有粘度が１０（ｄｌ／ｇ）以上であり、かつ０．１重量％水溶液の曳糸性が５０ｍｍ以上のものが好ましい。曳糸性が高いものを用いることにより、保冷材の形状保持性が良好となる。
保冷材中の水と水溶性ポリマーとの重量比は、好ましくは１００：０．１〜１０、より好ましくは１００：０．５〜８である。水溶性ポリマーが０．１以上では常温時の形状保持性が良好であり、１０以下であると冷凍時の柔軟性が良好である。
【００２８】
保冷材中の水不溶性吸水性ポリマーと水溶性ポリマーの重量比は、好ましくは１：０．１〜１０であり、より好ましくは１：０．２〜３である。水溶性ポリマーが０．１以上では繰り返し使用回数が低下せず、１０以上であるとゲル状物の製造時、製造設備から曳糸性の高いゲル状物を取り出すのが容易である。
【００２９】
親水性アルコールとしては、ここで親水性とは水溶性および水分散性を意味し、たとえばグリセリン、エチレングリコール、ジエチレングリコール、エタノール、および親水性ポリエーテル［ポリエチレングリコール、ポリ（オキシエチレン・オキシプロピレン）トリオール、ポリ（オキシエチレン・オキシプロピレン）グリコール、ポリ（オキシエチレン・オキシプロピレン）グリコール・モノアルキルエーテル等］があげられる。また以上例示した親水性アルコールは２種以上併用してもよい。これらのうち好ましいものは親水性ポリエーテル、ジエチレングリコール、グリセリンおよびこれらの併用であり、特に好ましいものはグリセリン並びにグリセリンと親水性ポリエーテルおよび／またはジエチレングリコールとの併用である。
【００３０】
保冷材中の水と親水性アルコールの重量比は、好ましくは１００：１〜８０、より好ましくは１００：１０〜６５である。親水性アルコールが１以上では冷凍時の柔軟性が良好であり、８０以下であると常温での形状保持性が良好である。
【００３１】
保冷材中の水溶性ポリマーと親水性アルコールとの重量比は、好ましくは１：１０〜６０、より好ましくは１：２０〜４０であり、特に好ましくは１：２５〜３５である。１０以上では冷凍時の柔軟性が良好であり、６０以下であると繰り返し使用回数が低下しない。
【００３２】
保冷材の製法を例示すると、水不溶性吸水性ポリマーと水溶性ポリマーを万能混合機等で粉末の状態で混合する。この粉体混合物に１種または２種以上の親水性アルコール類を加え５０〜６０℃で充分攪拌しゲル状にする。次いでこのゲル状の生成物中に水、必要に応じ１種または２種以上のアルコールおよび必要によりフィラーやガラス粉末や他の添加剤を配合した溶液を加えた後、万能混合機等で充分混合して再度ゲルにし、耐水性のプラスチック包装用材料に充填し、熱融着、接着剤等で封をすることにより保冷材が得られる。再度ゲル化する際にも親水性アルコールを用いる場合は、１回目のゲル化の際に用いたものとは別の親水性アルコールを用いた方が作業上効率的である。  
【００３３】
また、水不溶性吸水性ポリマーを水不溶性で非吸水性のポリマー被膜で表面被覆した吸水ゲル粒子を、水溶性ポリマー、水および親水性アルコールを含有する水性ゲル中に懸濁した保冷材を使用するのが好ましい。この場合、吸水ゲル粒子をさらに、水不溶性で非吸水性のポリマー被膜で表面被覆したものが用いられるが、このような表面被膜を施すと、繰り返し使用回数が増すだけでなく保冷能力が向上し、保冷持続時間をさらに長くすることができる。表面被膜は、水溶性ポリマーで形成した上、この表面を硬化させて使用してもよい。
【００３４】
このポリマー被膜としては、たとえばアラビアゴム、トラガントゴムなどが挙げられる。また該ポリマー被膜に用いることができる表面硬化前の水溶性ポリマーとしては、アルギン酸ソーダ、ポリビニルアルコールなどが挙げられる。これら水溶性ポリマーにより形成される被膜を硬化せしめる助剤としては高級脂肪酸の石鹸、塩酸、硫酸、硝酸などの無機酸、またはオレイン酸、酢酸などの有機酸が用いられる。該ポリマー被膜の厚みは通常吸水ゲル表面を薄く被う程度である。水不溶性非吸水性ポリマーを用いる場合の表面被膜の方法を例示すると、水不溶性吸水性ポリマーの吸水ゲルに混合する。水溶性ポリマーを用いる場合の表面被覆および硬化処理の方法を例示すると、これら表面被覆剤の１０〜２０重量％水溶液を水不溶性吸水性ポリマーの含水ゲル１重量部に対して０．２〜１．５重量部加えて、そのまま上記硬化助剤を１０〜２０重量％加えて硬化処理を行うことにより、水不溶性非吸水性のポリマー被膜が形成される。
【００３５】
保冷材（表面被覆型）の製法を例示すると以下の３工程により本ゲル化材が得られる。すなわち、（工程１）水不溶性吸水性ポリマーに水を加えゲル化させた吸水ゲル粒子に、水不溶性非吸水性ポリマーを加え万能混合機等で混合して表面被覆するか、水溶性ポリマーで表面被覆し、次いで硬化助剤を加え万能混合機等で混合する；（工程２）水溶性ポリマー、水およびアルコールを万能混合機等で混合する。；（工程３）工程１および工程２により得られたゲル化物を高粘度混合機等で両者を充分混合する。
【００３６】
保冷材には使用目的に照らして特に支障のない範囲でフィラーあるいはガラス粉末を混入しても良い。フィラーの例としては炭酸カルシウム、酸化アルミニウム、オクチル酸アルミニウム、粉末マイカ、発泡ポリエチレン、発泡ポリスチレン、発泡ウレタン、タルク、コルク等があげられる。ガラス粉末の例としては硼酸塩ガラス、硅酸塩ガラス、燐酸塩ガラス、酸化物ガラス等があげられる。酸化物ガラスは板状ガラスを溶融、冷却後、粉砕して用いる。ガラス粉末の粒度は特に制限は無いが粒径が小さく同じ粒径のものが望ましい。
【００３７】
また、保冷材には必要に応じ、顔料等の着色剤、感熱染料、防腐剤、紫外線吸収剤、酸化防止剤等の他の添加剤を混入しても良い。
【００３８】
本発明における保冷材は包装部材中にゲル状物が充填された形態である。包装部材の形状としては、袋状、箱状、円筒状、ボール状、球状など任意の形でよいが、基体と組み合わされて使用されるので、袋状のものが好ましい。袋状の形状は矩形状、円形状、楕円状などの他、意匠性を有する基体の意匠形状に合わせたものでもよい。好ましいのはコスト面から矩形状である。
大きさは基体の大きさよりも大き目でも小さ目でもよく、基体を髪にセットした際に落ちなければ限定はないが、ほぼ同じ大きさのものが使用上好ましい。      
【００３９】
包装部材の材質は耐水性のものであれば特に制限されないが、例えばポリエチレン／ナイロン系ラミネートフィルム、ポリエチレン／ナイロン／ＥＶＡラミネートフィルムなどが、薄くてもフィルム強度、耐水性、ヒートシール性、加工性などに優れたものを袋にして使用すれば便利である。
【００４０】
また、保冷材の表面に示温インクまたは示温ラベルを付着して、その時の温度を色で感知できるようにしてもよい。示温インクまたは示温ラベルは特開２００５−１７９６０８号に記載されたものが使用できる。
【００４１】
本発明における保冷材は、−３０〜−５℃の条件で、好ましくは−２０〜−１５℃の条件で、１〜２４時間かけて冷凍させることにより、保冷材として用いることができる。
【００４２】
ところで、本実施例においては、図１（ａ）に示すように、突起状物２ａを林立状態に配設した基体２に保冷材３の端部を溶着（ヒートシールなど）、接着（接着剤、粘着剤など）や縫製などの手段を用いて一体化するようにしている。なお、基体２に、粘着剤などを用いて保冷材３を固定してもよい。
【００４３】
この頭部冷却具１は、毛髪に突起状物２ａが絡むことによって、簡単に頭部の任意の箇所に取り付け、外出することができる。屋外での使用に際して、帽子などを着用することによって、さらに冷感をますことができる。保冷材３を外出前に冷蔵庫などの保冷庫に保存しておくことによって、使用時の冷感が増し冷却効果が高まると共に、長時間の使用を可能とすることができる。この場合にも冷凍した保冷材がやわらかいので、頭部にフィットし違和感がなく、効率的に冷却できる。また、特に、保冷材が、水不溶性で非吸水性のポリマー被膜で表面被覆された水不溶性ポリマーの吸水ゲル粒子が水性ゲル中に懸濁したものを用いると、いっそう長時間の使用が可能となる。
また、この頭部冷却具１は、毛髪部への固定力はなく、ヘアースタイルが乱れることもない。さらに室内での使用態様として、前髪を持ち上げた上体で固定することによって、化粧や顔剃り時に前髪が邪魔にならず、その際に頭部に冷感を得ることができる。
【００４４】
（実施例２）
図３に、本発明の頭部冷却具の第２の実施態様を示す。
この頭部冷却具１は、基体２を袋状体２１に構成し、冷却材３を取り出し可能に設けるようにしている。
【００４５】
基体２は、図３（ｂ）に示すように、少なくとも１辺を開口部２１ａとし、保冷材３を簡単に出し入れできるように構成する。そして、開口部２１ａには、保冷材３を内部に入れた状態で保冷材３が落ちることがないようにチャックや面ファスナなどの開閉部材を配設することが好ましい。
【００４６】
これによって、放熱効果の下がった保冷材３を予備の保冷材３と簡単に入れ替えることができる。また、保冷材３が劣化した場合などでも、保冷材３の交換のみで基体２を再利用することができる。
【００４７】
なお、本実施例のその他の構成および作用は、上記実施例１と同様である。
（実施例３）
図４に、本発明の頭部冷却具の第３の実施態様を示す。
この頭部冷却具１は、突起状物２ａを部分的に欠落させるようにしている。
【００４８】
突起状物２ａを配設する範囲および欠落部２ｂの範囲は、特に限定されず、図４（ａ）に示すように、千鳥状に突起状物２ａを配設する範囲と欠落ぶ２ｂとを形成するほか、図４（ｂ）に示すように、基体２の中央部分を欠落部２ｂとしてもよい。
なお、欠落部２ｂは、基体２に突起状物２ａを配設しないようにして形成するほか、基体２ごと欠落させるようにすることもできる。
【００４９】
これによって突起状物２ａによって生じる保冷材３と頭部との距離を短くし、頭部からの放熱および保冷材３から伝わる冷感を向上させることができる。
なお、本実施例のその他の構成および作用は、上記実施例１、２と同様である。
【００５０】
（実施例４）
図５に本発明の頭部冷却具の第４の実施態様を示す。
この頭部冷却具１は、図５（ａ）に示すように、表面に装飾４ａを施すようにしている。
装飾４ａは、頭髪部に直接保持させたときに表面となる箇所に施すもので、基体２と冷却材３とを固定する際に、樹脂製シート４で保冷材３をカバーする場合には、樹脂製シート４の表面に模様を印刷して装飾４ａとしたり、装飾品を取り付けることができる。
保冷材３の表面が不織布からなる外装材３１の場合には、不織布を染料によって染め分けた模様としたり、ビーズなどの装飾品を取り付けることができる。
また、基体２を袋状体２１にするときは、袋状体２１の表面（突起状物２ａを植え付けた面の半対面）に直接、装飾４ａを施すこともできる。
【００５１】
また、頭部冷却具１は、図５（ｂ）に示すように、四角形以外の装飾的形状４ｂに形成することもできる。装飾的形状４ｂは、頭部冷却具１の形状をハート型に型抜きすることによって形成するほか、四角形に製作したものを裁断することによって所望の形状に形成することもできる。
【００５２】
また、頭部冷却具１は、図５（ｃ）に示すように、装飾的形状４ｂを動物の顔や花の輪郭などとなるように形成し、表面に動物の顔や花などを装飾４ａとして施すこともできる。
これによって、意匠性に優れ、屋外において頭部につけるファッションとして使用することができる。
また、ノベルティ商品、ブランド商品として商品価値を高めることができるとともに、キャラクター商品としての展開を行うこともできる。
なお、本実施例のその他の構成および作用は、上記実施例１〜３と同様である。
【００５３】
（実施例５）
（保冷材中のゲル状物の製造）実施例中の部は重量部である。
製造例１
吸水性樹脂［三洋化成工業社製：サンウエットＩＭ−５０００］１２部とアクリルアミド系共重合体［三洋化成工業社製サンフロックＡＨ−２１０Ｐ］１２部とを万能混合機で充分に混合した。これにグリセリン１９２部を加え５０℃で１時間３０分攪拌した。ついで２５℃に冷却し、水３４８部、ジエチレングリコール１８部、ポリエチレングリコール（分子量３００以下ＰＥＧ−３００と略す）１８部を加え万能混合機で十分に混合し白色のゲル状物Ａを得た。
【００５４】
製造例２
吸水性樹脂として製造例１に用いた架橋ポリアクリル酸ナトリウム塩［三洋化成工業社製：サンウエットＩＭ−５０００］４部に水２００部を加え、万能混合機で充分に混合し、これにポリビニルアルコール１５部を熱水２００部に溶解した溶液を加え充分に混合し白色の吸水ゲル粒子を得た（工程１）。水溶性ポリマーとして製造例１に用いたアクリルアミド・アクリル酸ソーダ高分子量共重合体（３０℃における０．３％水溶液粘度が１，８００ｃｐｓ）［三洋化成工業社製：サンフロックＡＨ−２１０Ｐ］４部に水２００部を加え、万能混合機で充分に混合した。これにグリセリン１５０部、ジエチレングリコール６部、ポリエチレングリコール（分子量３００；以下ＰＥＧ−３００と略す）６部を加え、万能混合機で十分に混合し白色のゲルを得た（工程２）。工程２で得られたゲルを工程１で得られたゲルに加え、万能混合機で充分混合した（工程３）。このようにしてゲル状物Ｂを得た。
【００５５】
製造例３
製造例１に用いた架橋ポリアクリル酸ナトリウム塩［三洋化成工業社製：サンウエットＩＭ−５０００］１０部に水５００部を加え、さらにグリセリン１６０部、ポリエチレングリコール（分子量３００以下ＰＥＧ−３００と略す）１５部を用いて製造例１と同様にして比較のゲル状物Ｃを得た。
得られたゲル状物Ａ〜Ｃの保冷時間、初期柔軟性、２０回くり返し使用後さらに冷凍した時の柔軟保持性を試験した結果を表１に示す。
【００５６】
（ゲル状物の評価）
（保冷時間）−２０℃で１２時間冷凍したものを２５℃の室内で放置し、１０℃になるまでの時間を測定した。サンプルは重量６００ｇ、２５０ｍｍ×２５０ｍｍ×１０ｍｍのポリエチレン／ナイロン系ラミネート製の袋に詰めたものを使用した。
（初期柔軟性）−２０℃で１２時間冷凍したものを指で押した時の状態で確認した。○は容易に変形する、△は強く押すと変形する、×は変形しないことを表している。
（柔軟保持性）−２０℃で１２時間冷凍したサンプルを２５℃の温水につけ常温に戻す操作を２０回繰り返した後、さらに−２０℃で１２時間冷凍したものを指で押した時の状態で確認した。判定基準は（２）と同様である。
【００５７】
【表１】
2010131096.tif 000003
【００５８】
（保冷材を頭部冷却具に用いる試験）
１０ｃｍ×６ｃｍの長方形のポリエチレン／ナイロン系ラミネートフィルムの袋２個を準備し、得られた上記のゲル状物Ａ、Ｂ２０ｇをそれぞれ別の袋に入れて密封して保冷材Ａ、Ｂを作製した。図１ａの形状のナイロン製の基体と保冷材の袋の両端をあわせてヒートシールして基体と保冷材が一体化した本発明の頭部冷却具Ａ、Ｂを得た。これらの頭部冷却具を冷凍室におき−２０℃で５時間放置した後取り出し、頭髪部に付けた。頭部冷却具全体が冷えているが、保冷材がやわらかいので頭部にフィットした。取り付けた時点で冷感があり、頭部冷却具Ａは５０分程度、頭部冷却具Ｂは１時間程度続いた。外気温は２４℃であった。
【産業上の利用可能性】
【００５９】
本発明の頭部冷却具は、意匠性に優れ、屋外での使用が可能で、ヘアースタイルを乱すことがないという特性を有していることから、屋外などで使用する頭部冷却具の用途に好適である。
【図面の簡単な説明】
【００６０】
【図１】本発明の一実施形態の頭部冷却具を示し、(ａ)は正面図、（ｂ）は平面図である。
【図２】同頭部冷却具に使用する保冷材を示し、(ａ)は平面図、（ｂ）は(ａ)のＸ−Ｘ断面図、（ｃ）は）ｂ）のＹ部の拡大図である。
【図３】本発明の別の一実施形態の頭部冷却具を示し、(ａ)は正面図、（ｂ）は保冷材の取り出しを説明する図である。
【図４】本発明の別の一実施形態の頭部冷却具を示す平面図で、(ａ)は突起状物の植え付け範囲および欠落部の範囲を千鳥状にした例を、（ｂ）は欠落部を基体の中央部に設けた例を示す。
【図５】本発明の別の一実施形態の頭部冷却具を示し、(ａ)は表面に装飾を施した例を、（ｂ）は装飾的形状に形成した例を、（ｃ）は装飾的形状に形成し表面に装飾を施した例を示す。
【符号の説明】
【００６１】
１    頭部冷却具
２    基体
２ａ  突起状物
２ｂ  欠落
２１  袋状体
３    保冷材
３１  包装部材
３２  ゲル状物
４ａ  装飾
４ｂ  装飾的形状
【図１】
2010131096.tif 000004
【図２】
2010131096.tif 000005
【図３】
2010131096.tif 000006
【図４】
2010131096.tif 000007
【図５】
2010131096.tif 000008